(57)【要約】【課題】  一括集中排水設備における器具トラップの破封を防止する。【解決手段】  建屋床下に設け、複数の器具トラップが接続された集合ます４において、該集合ます４の下流側を通気管なしの１本の屋内排水主管５に接続し、該屋内排水主管５を屋外の１つの通常のインバ−ト型排水ます１６に接続する際、階段状段差接続構造１３になるが、この段差接合構造１３に下向きの流出口大の９０度エルボ２１を介在させると、器具トラップからの同時排水があっても、前記集合ます４に圧力変動がなくなり、ひいては、これらの器具トラップの破封を防止できる。【選択図】        図１
2005264545.tif 000002
【特許請求の範囲】
【請求項１】
建屋の床下に設置され、かつ、複数の雑排水器具から流入する１つの集合ますまたはヘッダ−型継手の下流側を段差接合構造を介して屋外の排水ますに接続した床下配管設備において、
前記段差接合構造に流出口大の９０度または６０度等エルボを介在させてその下流側の流路を拡大したことを特徴とする１つの集合ます等を用いた床下配管設備。
【請求項２】
建屋の床下に設置され、かつ、３つないし３つ以上の雑排水器具から流入する１つの集合ますまたは１つのヘッダ−型継手の下流側に、合流用枝管をもたず、しかも通気管をもたない１つの屋内排水主管を接続し、該屋内排水主管を段差接合構造を介して屋外のインバ−ト型宅内排水ますに接続した床下配管設備にあって、
前記段差接合構造を、屋内の下り傾斜状の同一管路からなる上流側段差接合構造と、これに続いて設けた屋外の下り階段状下流側段差接合構造と、から構成した床下配管設備において、
前記下り階段状の下流側段差接合構造に用いるエルボを、下向きの流出口大の９０度エルボを用いて下流側の流路を拡大することにより、前記集合ます等の内圧を可及的変動させないようにして器具トラップの破封を防止したことを特徴とする１つの集合ます等を用いた床下配管設備。
【発明の詳細な説明】
【技術分野】
【０００１】
本発明は、１つの集合ます、または、１つのヘッダ−型継手を用いた床下配管設備に関するものである。
【背景技術】
【０００２】
周知のように下水道設備、特に屋内排水設備の排水管内の流れは、不規則な混乱した流水状態であるから、管内圧力、特に管内の空気は、圧縮されたり吸引されたりして部分的に大気圧より高められたり低められたりする。
【０００３】
かかる管内圧力の正負の圧力変動の許容限界は、排水トラップが破封しない程度と定め（学術団体である空気調和・衛生工学会規程のＨＡＳＳ規格によるとトラップ封水部で±２５ｍｍＡｑ程度および管内圧力の範囲では４０ｍｍＡｑ以内）、これを超えないように排水・通気系統を構成している。
【０００４】
ところで、現在、１つの集合ます、または、１つのヘッダ−型継手を用いた排水用床下配設設備が盛んに提唱されている。
【０００５】
この排水用床下配管設備は屋外の１つの排水ますに接続されているが、この排水ますの埋設深さは、公共ますの深さが条例等で略決められ、かつ、屋外排水主管の勾配が決められていること、また、建屋の防湿コンクリ−トの高さが地面ＧＬより約１０ｃｍのレベル差を要すること、から特に狭小の敷地では浅くできず、したがって、屋内排水主管と屋外の排水ますとは段差（落差）接合構造によって接続される。
【０００６】
したがって、かかる段差接合構造や複数の雑排水器具の同時使用により、排水用床下配管では正負の圧力変動が生じ、ひいては、前記集合ます等の入口側に接続している排水トラップの破封が生じる。
【０００７】
そこで本出願人は、かかる問題解決のため床下配管設備について多数の提案を行っている。
【０００８】
例えば、特許文献１の図４に示すような提案を行っている。
【０００９】
本願図４において、この提案の床下配管設備の屋内排水主管５と、屋外で埋設されている排水ます１６とを２組の緩やかな流路口径一定の段差接合構造によって接続し、これらの段差接合構造により集合ます等における負圧の発生を防いでいる。
【００１０】
すなわち、屋内の上流側の段差接合構造では、呼び径７５ｍｍφの屋内排水主管５に第１の４５度エルボ１８を、この第１の４５度エルボ１８に４５度傾斜短管（不図示）を、この４５度傾斜短管に第２の４５度エルボ１９を，この第２の４５度エルボ１９に建屋２の布基礎２Ａを貫通した第１の水平管２０を、それぞれ接続して緩やかに構成している。      
【００１１】
この第１の水平管２０に接続した屋外の下流側の段差接合構造１１０では、この第１の水平管２０に第３の４５度エルボ１１１を、この第３の４５度エルボ１１１に４５度傾斜管１１２を、この４５度傾斜管１１２に第４の４５度エルボ１１３を、この４５度エルボ１１３に第２の水平管１１４を、この第２の水平管１１４を排水ます１６に、それぞれ接続して緩やかな段差接合構造１１０を構成している。
【００１２】
なお、この宅内排水ます１６は、通常のインバ−トますで構成し、その底部にインバ−トたる排水溝を形成しており、この排水溝に流出入口が直接開口されたごく一般的な排水ますであって、敷地内の地面ＧＬより土被り約２００ｍｍの屋外の排水主管１７に接続している。
【特許文献１】特開２００３−２３９３４１号公報
【発明の開示】
【発明が解決しようとする課題】
【００１３】
しかしながら、かかる緩やかな段差接合構造でも特に下流側の段差接合構造１１０でも、集合ますでは好ましくない正負の圧力変動があることが試験により判明し、ひいては、排水トラップに破封のおそれがある、ということが判明した。
【課題を解決するための手段】
【００１４】
そこで、かかる問題を解決するため、本発明は、１）建屋の床下に設置され、かつ、複数の雑排水器具から流入する１つの集合ますまたはヘッダ−型継手の下流側を段差接合構造を介して屋外の排水ますに接続した床下配管設備において、前記段差接合構造に流出口大の９０度または６０度等エルボを介在させてその下流側の流路を拡大したことを特徴とする１つの集合ます等を用いた床下配管設備を要旨とし、また、２）建屋の床下に設置され、かつ、３つないし３つ以上の雑排水器具から流入する１つの集合ますまたは１つのヘッダ−型継手の下流側に、合流用枝管をもたず、しかも通気管をもたない１つの屋内排水主管を接続し、該屋内排水主管を段差接合構造を介して屋外のインバ−ト型宅内排水ますに接続した床下配管設備にあって、前記段差接合構造を、屋内の下り傾斜状の同一管路からなる上流側段差接合構造と、これに続いて設けた屋外の下り階段状下流側段差接合構造と、から構成した床下配管設備において、前記下り階段状の下流側段差接合構造に用いるエルボを、下向きの流出口大の９０度エルボを用いて下流側の流路を拡大することにより、前記集合ます等の内圧を可及的変動させないようにして器具トラップの破封を防止したことを特徴とする１つの集合ます等を用いた床下配管設備を要旨とするものである。
【発明の効果】
【００１５】
本発明によると、複数の雑排水器具を接続した１つの集合ます等からの重力排水式で且つ合流用枝管をもたない床下排水管路に、意外にも、通気管を設けずに正負の圧力変動を抑えて、前記雑排水器具のトラップの破封に影響しない程度にすることができる。
【００１６】
殊に、段差接合構造を構成するエルボに下向きの流出口大の９０度等のエルボを単に用いるだけであるので、通常の配管設備であり狭小地の施工にも適用でき、ひいては、床下配管設備に好個にすることができる。
【発明を実施するための最良の形態】
【００１７】
本発明を添付図面に示す実施例により詳細に述べる。
【００１８】
図１は本発明の実施例の主要部図、図２は本実施例の他の要部図、図３は図１の一部詳細図であって、従来例を示す図４と共通部分の説明は簡略化する。
【００１９】
先ず、本発明の実施例の床下配管設備１の施工法の概略を述べる。
【００２０】
図２において、例えば、木造の建屋２を建設するには敷地に根切り等を施し、ベ−スとなるフ−チングや布基礎２Ａ等の基礎工事を、排水主管用スリ−ブ等の手当をしてから行う。
【００２１】
この基礎工事のコンクリ−トの養生後、床下全面に防湿コンクリ−ト３を打設する。この防湿コンクリ−ト３の打設時には、アンカ−ボルトをそのコンクリ−ト内に埋設する。      
【００２２】
防湿コンクリ−ト３の養生後、集合ます４をアンカ−止め等により取外し自在に固定・載置すると共に、合流用枝管をもたない１本の屋内排水主管５を布設してこの集合ます４と接続する。その後、本体工事を行い、次いで内部工事に伴って２次の屋内配管を行う。      
【００２３】
すなわち、例えば、台所の内部工事を行えば、その流し台と集合ます４とを、可撓管を用いた排水枝管６で雑排水器具接続用ソケット７によりワンタッチ式に接続する。
【００２４】
この集合ます４は、建屋２の床８下の懐空間に載置しており、その真上の床８には不図示の点検口を開閉自在に設け、集合ます４の保守点検を行うようにしている。なお、図２中、９は根太を示す。
【００２５】
以上のような戸建住宅用等の屋内排水用の集合一括排水設備たる床下配管設備１の工法であるから通気系統をもたず、施工精度が向上し、コンクリ−ト工事業者等の多能工でも充分に配管することができ、施工のタイムラグを防ぎながら、施工に伴う人件費（配管施工費の約７割を占めるもの）を節減することができ、しかも、屋外の排水ます１６の数も最小限に節減することができる。
【００２６】
ここにおいて、前記屋内排水主管５は、防湿コンクリ−ト３で固定された支持金具２０により支持されて防湿コンクリ−ト３上で配管し、後記詳述の合成樹脂製段差接合構造を介して、また、防湿コンクリ−ト３や布基礎２Ａを貫通して屋外の排水ます１６に接続するようにしている。
【００２７】
勿論、この排水ます１６は規格化された汎用の塩ビ等合成樹脂製インバ−ト型ますで、量産により安価になっている。
【００２８】
さて、本実施例の床下配管設備１では、１つの集合ます４の流入口側に接続している複数（３つないし３つ以上）の雑排水器具（台所の流し、洗面所、風呂等）を同時に使用して屋内排水主管５を満管流の状態にした場合でも、集合ます４では正負の圧力変動を可及的に発生させず、ひいては排水トラップの破封を防止しようとするものである。
【００２９】
すなわち、図１または図４に示すように、通気管をもたない屋内の上流側の段差接合構造では、屋内排水主管５に第１の４５度エルボ１８を、この第１の４５度エルボ１８に４５度傾斜短管（不図示）を、この４５度傾斜短管に第２の４５度エルボ１９を、この第２の４５度エルボ１９に第１の水平管２０を、それぞれ接続して緩やかな下り傾斜状の同一管路構造に構成している。
【００３０】
したがって、この上流側の流路口径一定の段差接合構造は、少なくとも４５度エルボをもつ下り傾斜に構成し、可及的に円滑な流れとし乱流を発生させないようにしている。
【００３１】
かかる上流側の段差接合構造に続いて、図１に示すように、この第１の水平管２０に、異径エルボと称される流入口と流出口とが異径で、これらの両口を滑らかに拡径したエルボ体で一体にした、すなわち、下向きの流出口大の９０度エルボ２１を接続し、この流出口大の９０度エルボ２１に第１の水平管２０より拡径した垂直状連結管２２を接続し、この垂直状連結管２２に通常の９０度エルボ（ＪＩＳでいうＤＬ）２３を接続し、この９０度エルボ２３に第２の水平管２４を接続し、この第２の水平管２４を排水ます１６に接続した下り階段状の屋外の下流側の段差接合構造１３を設けている。
【００３２】
したがって、この下流側の段差接合構造は、本来、少なくとも２つの９０度エルボをもつ下り階段状に構成し、前記下向きの流出口大の９０度エルボ２１を介在させなければ、強制的な方向転換の垂直状落下流による渦流・乱流の発生や落下による動圧の急上昇による静圧の低下、更には満管流による管内空気の真空を強制的に誘発させる構造になっている。
【００３３】
なお、この段差接合構造１３において、上流側の流出口大で９０度エルボ２１の曲率半径を大にして流れを円滑にした大曲りエルボ（ＪＩＳでいうＬＬ）を使用してもよく、また下流側の９０度エルボ２３の代りに、大曲りエルボを用いてもよい。
【００３４】
したがって、上流側の第１の水平管２０に対し下流側の第２の水平管２４は、例えば、管径が呼び径７５ｍｍφから呼び径１００ｍｍφに拡径され、第１の水平管２０に満管流の流れがあっても第２の水平管２４では、その満管流は緩和され、殊に、流出口大の９０度エルボ２１による空気アキュムレ−タの働きが生じ、その結果、管内圧力の変動を極力抑えることができる。
【００３５】
これを試験により確認した結果は、次のとおりである。
【００３６】
この試験例では、台所（約２０リットル）、洗面所（約２０リットル）、風呂（約１５０リットル）の雑排水器具を同時に排水した場合であって、次の表１のような比較結果が得られた。なお、集合ます４にＵ字型マノメ−タを付設してこれを測定した。
【００３７】
【表１】
2005264545.tif 000003
なお、前記流出口大の９０度エルボ２１は塩ビ製射出成形品であって、その諸元は、図３において、呼び径１００ｍｍφ（出口径）×７５ｍｍ（入口径）の場合、Ｚ1 ＝４８、Ｌ1 ＝９８、Ｚ2 ＝６２、Ｌ2 ＝１０２（単位ｍｍ）になっている。
【００３８】
勿論、この流出口大の９０度エルボ２１に代り、下向きの流出口大の６０度エルボも前表の判定基準内にあった。
【００３９】
また因みに、本実施例の流出口大の９０度エルボ２１の代りに通常（流出入口同径のもの）の９０度エルボ（ＬＬ）を用いた場合、同様の試験では、集合ます４における最大圧力０（ｍｍＡｑ）、最小圧力−４８ｍｍＡｑ、封水損失２１ｍｍであって、判定基準に達することが認められず、ひいては本発明の実施例の流出口大の９０度エルボ２１が飛躍的に好ましい裏付けとなった。
【図面の簡単な説明】
【００４０】
【図１】本発明の実施例の要部図である。
【図２】本実施例の他の要部図である。
【図３】図３は図１の要部図である。
【図４】従来例で図１の相当図である。
【符号の説明】
【００４１】
４  集合ます
１３  段差接合構造
１５  屋内排水主管
１６  屋外排水ます
２１  流出口大の９０度エルボ
【図１】
2005264545.tif 000004
【図２】
2005264545.tif 000005
【図３】
2005264545.tif 000006
【図４】
2005264545.tif 000007